(57)【要約】【課題】戻り側ベルトの剥落輸送物を別途駆動装置を設けずにヘッドシュートへ移送できるようにする。【解決手段】外力が作用しないと幅方向両端縁部を重ねた円筒形状となる無端状の捕集ベルト２３の上部を、戻り側ベルト受けローラ８ａと戻り側ベルト３ｂの間に扁平状態で挟ませ、下部を、戻り側ベルト受けローラ８ａよりもテール側の円筒ガイドローラ２４ａ，２４ｂと、ヘッドシュート６内の扁平ガイドローラ２５に掛け回す。扁平ガイドローラ２５は捕集ベルト２３を扁平させるための押えローラ２８を備える。戻り側ベルト３ｂからの剥落輸送物９は、コンベヤベルト３より回転動力を付与されて循環する捕集ベルト２３上に受けた後、円筒形状となる捕集ベルト２３内に包んでヘッドシュート６内まで移送させ、捕集ベルト２３が扁平ガイドローラ２５の近傍で幅方向に開かれるときにヘッドシュート６内へ落下排出させる。【選択図】図１
2005104695.tif 000002
【特許請求の範囲】
【請求項１】
無端状にして送り側ベルト上の輸送対象物を輸送して排出した後、戻り側となるように
してあるベルトコンベヤの戻り側の上流側位置に、無端状にした捕集ベルトを配置し、該
捕集ベルトを戻り側ベルト受けローラで戻り側ベルトの表面に押し付けるようにして、上
記戻り側ベルトの移動によって上記捕集ベルトが追従して移動させられるようにし、且つ
上記戻り側ベルトの表面から剥離されて落下する輸送物を受けた捕集ベルトが剥落輸送物
を保持して輸送対象物の排出位置へ排出できるようにしたことを特徴とするコンベヤ戻り
側ベルトの剥落輸送物捕集装置。
【請求項２】
戻り側ベルト受けローラを、軸心方向に所要間隔で複数の突条部を有する形状とし、且
つ捕集ベルトを、上記戻り側ベルト受けローラの各突条部の間の凹状部に嵌合できる幅寸
法として複数用意し、各捕集ベルトを戻り側ベルト受けローラの各突条部間に掛けて戻り
側ベルトの表面に押し付けるようにし、且つ上記戻り側ベルト受けローラの下流側位置か
ら輸送対象物を排出する位置まで上記各捕集ベルトを円筒形状に保持して送ることができ
るようにした請求項１記載のコンベヤ戻り側ベルトの剥落輸送物捕集装置。
【請求項３】
戻り側ベルト受けローラよりも下流側の下方となる所要位置に、各捕集ベルトを円筒形
状を保持させた状態で掛けるための円筒ガイドローラを設けると共に、輸送対象物の排出
位置に、各捕集ベルトを扁平状態で掛けるための扁平ガイドローラを設けて、戻り側ベル
ト受けローラに掛けられた各捕集ベルトを、上記円筒ガイドローラと扁平ガイドローラへ
順次掛け回すことにより、上記各捕集ベルトにおける上記戻り側ベルト受けローラと円筒
ガイドローラとの中間部より上記円筒ガイドローラを経て上記扁平ガイドローラの近傍に
至るまでの領域を、円筒形状に保持できるようにした請求項２記載のコンベヤ戻り側ベル
トの剥落輸送物捕集装置。
【請求項４】
捕集ベルトを、外力の作用しない状態では幅方向に丸まって幅方向両端縁部を所要寸法
重ね合わせた円筒形状を保持でき、且つ幅方向に開くような外力が作用するときには、幅
方向に扁平となる状態まで弾性変形できるものとした請求項２又は３記載のコンベヤ戻り
側ベルトの剥落輸送物捕集装置。
【発明の詳細な説明】
【技術分野】
【０００１】
本発明は、ベルトコンベヤの戻り側ベルトの表面側がベルト受けローラ等と接触するこ
とにより該戻り側ベルトの表面から剥れ落ちる剥落輸送物を捕集するためのコンベヤ戻り
ベルトの剥落輸送物捕集装置に関するものである。
【背景技術】
【０００２】
ばら荷状態の輸送対象物を効率よく大量輸送する装置としてベルトコンベヤが広く一般
に使用されている。
【０００３】
この種のベルトコンベヤＩは、図６にその一例の概略を示す如く、図示しないフレーム
の長手方向両端部に回転自在に設けたヘッドプーリ１とテールプーリ２との間に、幅広の
コンベヤベルト３を無端状に掛け回して該コンベヤベルト３が上記ヘッド側とテール側の
各プーリ１と２の間で循環移動できるようにしてあり、上記コンベヤベルト３のテール側
端部の上方に設けられた供給ホッパ４より落下供給させる輸送対象物５を、送り側ベルト
３ａの上側に載置させて、コンベヤベルト３の循環移動に伴いヘッド側へ輸送させ、上記
コンベヤベルト３がヘッドプーリ１に沿って下向きに反転するときに、上記送り側ベルト
３ａ上をヘッド側へ輸送された輸送対象物５を自重によりヘッドシュート６へ落下排出さ
せるようにしてある。
【０００４】
又、上記ヘッドプーリ１とテールプーリ２の間に位置する送り側ベルト３ａと戻り側ベ
ルト３ｂは、それぞれ多数のベルト受けローラ７，８に沿わされて荷重を支持させるよう
にしてある。したがって、送り側ベルト３ａを受ける送り側ベルト受けローラ７は、それ
ぞれ該送り側ベルト３ａの裏面側に接し、一方、戻り側ベルト３ｂを受ける各戻り側ベル
ト受けローラ８は、それぞれ該戻り側ベルト３ｂの表面側に接するようにしてある。なお
、ヘッドプーリ１に最も近い位置で戻り側ベルト３ｂを受ける戻り側ベルト受けローラ８
は、戻り側ベルト３ｂを上方へ押し上げてコンベヤベルト３全体に張力を付与させるよう
な位置に設置してあり、ヘッドプーリ１とコンベヤベルト３との間の摩擦力を増加させて
両者のスリップの発生を防止できるようにしてある。
【０００５】
ところで、上記のような構成としてあるベルトコンベヤＩにて、石灰石や石炭のような
細かい微粉の発生する輸送対象物５を輸送する場合には、該輸送対象物５に含まれている
微粉等の輸送物がコンベヤベルト３の表面に載せられて輸送される間に該コンベヤベルト
３の表面に付着してしまい、輸送対象物５が、ヘッドプーリ１を通過してヘッドシュート
６内へ落下しても、コンベヤベルト３の表面に付着した輸送物は、ヘッドプーリ１で送り
側ベルト３ａが下向きに反転されるときにもヘッドシュート６へ落下されずに、戻り側ベ
ルト３ｂの表面に付着したまま残ることがある。この戻り側ベルト３ｂの表面に付着した
輸送物は、該戻り側ベルト３ｂの表面が戻り側ベルト受けローラ８と接触すること等によ
り剥がれ落ちることがある。
【０００６】
このために、戻り側ベルト３ｂの表面から剥がれ落ちる剥落輸送物９を捕集できるよう
にして、該剥落輸送物９がヘッドシュート６以外のところのベルトコンベヤ３の領域に堆
積したり、周囲の環境を汚染することを防止できるようにすることが重要である。そのた
めの対策としては、上記戻り側ベルト受けローラ８との接触により戻り側ベルト３ｂから
の剥落輸送物９の発生が懸念される上記ベルトコンベヤＩのヘッド側端部の下方位置に、
剥落輸送物捕集用の小型のベルトコンベヤ１０を、水平方向に配置して、剥落輸送物捕集
用ベルトコンベヤ１０のヘッド側端部１０ａがヘッドシュート６内に位置するように設け
て、上記戻り側ベルト３ｂからの剥落輸送物９を、上記剥落輸送物捕集用ベルトコンベヤ
１０上に受けた後、ヘッドシュート６まで移送させるようにする手段が広く取られている
。１１は上記剥落輸送物捕集用ベルトコンベヤの駆動装置である。
【０００７】
又、戻り側ベルト３ｂからの剥落輸送物を捕集できるようにするための他の手法として
は、図７に概略を示す如く、鉱石運搬用のベルトコンベヤＩのヘッド側端部の下方位置に
、戻り側より落下する剥落輸送物９を受けるためのフラットな床面１２を設置して、該床
面１２上に、断面形状Ｌ字状の複数本のアタッチメント１３が横架固定される平行な無端
チェーンベルト１４を、駆動軸１５と受動軸１６との間にて掛け回して設置し、図示しな
い駆動装置で駆動軸１５を回転させることにより、チェーンベルト１４を循環移動させて
、上記床面１２に沿って移動させられる上記各アタッチメント１３により、該床面１２上
に落下した剥落輸送物９を、掻き寄せて上記ベルトコンベヤＩのヘッド側へ移送させるよ
うにすることも提案されている（たとえば、特許文献１参照）。
【０００８】
なお、粉体や粉粒体、砕石等の輸送対象物を輸送する他の装置として、図８（イ）（ロ
）に示す如きパイプコンベヤ１７が知られている。かかるパイプコンベヤ１７は、図示し
ないフレームの長手方向両端部に回転自在に設けたヘッドプーリ１８とテールプーリ１９
との間に、平板状のベルト２０を無端状に掛け回して該ベルト２０が上記ヘッド側とテー
ル側の各プーリ１８と１９の間で循環移動できるようにし、更に、送り側ベルト２０ａ及
び戻り側ベルト２０ｂにおける長手方向中間部を、それぞれ丸めローラ（成形ローラ）２
１を通して幅方向に丸めて幅方向両端縁部が所要寸法で重なる筒状となるように変形させ
ると共に、上記丸めローラ２１よりもベルト循環方向下流側に所要間隔で配した複数の保
形ローラ２２に順次通すことにより、上記送り側及び戻り側のベルト２０ａ，２０ｂの中
間部を幅方向両端縁部を所要寸法重ね合わせた円筒形状のまま保持させることができるよ
うにしてある。かかる構成としてあることにより、上記送り側と戻り側のベルト２０ａ，
２０ｂの中間部を、それぞれ円筒形状とさせることで、送り側では、図示しない輸送対象
物の飛散や輸送対象物の落下を防止させ、又、戻り側では、戻り側ベルト２０ｂの表面に
付着した輸送物の落下を防止させることができるようにしてある（たとえば、特許文献２
参照）。
【０００９】
【特許文献１】特開昭５０−１４３２８７号公報
【特許文献２】特開平１０−１０１２０５号公報
【発明の開示】
【発明が解決しようとする課題】
【００１０】
ところが、ベルトコンベヤＩのヘッド側端部の下方位置に、図６に示した如き小型の剥
落輸送物捕集用ベルトコンベヤ１０を設けたり、上記特許文献１に示されたように、フラ
ットな床面１２上にて無端チェーンベルト１４と共にアタッチメント１３を循環移動させ
るようにした機構を設ける場合には、いずれも駆動装置１１を必要とするという問題があ
り、このため、コストが嵩むという問題がある。
【００１１】
一方、上記特許文献２には、ベルトコンベヤＩの戻り側ベルト３ｂからの剥落輸送物９
を捕集することについての考えは全く記載されておらず、したがって、後述する本発明の
コンベヤ戻り側ベルトの剥落輸送物捕集装置の構成が何ら示唆されるものではない。
【００１２】
そこで、本発明は、駆動装置を別途必要とすることなくベルトコンベヤにおける戻り側
ベルトの表面から落下する剥落輸送物を捕集して所定の位置へ輸送して排出することがで
きるようにするコンベヤ戻り側ベルトの剥落輸送物捕集装置を提供しようとするものであ
る。
【課題を解決するための手段】
【００１３】
本発明は、上記課題を解決するために、無端状にして送り側ベルト上の輸送対象物を輸
送して排出した後、戻り側となるようにしてあるベルトコンベヤの戻り側の上流側位置に
、無端状にした捕集ベルトを配置し、該捕集ベルトを戻り側ベルト受けローラで戻り側ベ
ルトの表面に押し付けるようにして、上記戻り側ベルトの移動によって上記捕集ベルトが
追従して移動させられるようにし、且つ上記戻り側ベルトの表面から剥離されて落下する
輸送物を受けた捕集ベルトが剥落輸送物を保持して輸送対象物の排出位置へ排出できるよ
うにした構成とする。
【００１４】
又、戻り側ベルト受けローラを、軸心方向に所要間隔で複数の突条部を有する形状とし
、且つ捕集ベルトを、上記戻り側ベルト受けローラの各突条部の間の凹状部に嵌合できる
幅寸法として複数用意し、各捕集ベルトを戻り側ベルト受けローラの各突条部間に掛けて
戻り側ベルトの表面に押し付けるようにし、且つ上記戻り側ベルト受けローラの下流側位
置から輸送対象物を排出する位置まで上記各捕集ベルトを円筒形状に保持して送ることが
できるようにした構成とする。
【００１５】
更に、戻り側ベルト受けローラよりも下流側の下方となる所要位置に、各捕集ベルトを
円筒形状を保持させた状態で掛けるための円筒ガイドローラを設けると共に、輸送対象物
の排出位置に、各捕集ベルトを扁平状態で掛けるための扁平ガイドローラを設けて、戻り
側ベルト受けローラに掛けられた各捕集ベルトを、上記円筒ガイドローラと扁平ガイドロ
ーラへ順次掛け回すことにより、上記各捕集ベルトにおける上記戻り側ベルト受けローラ
と円筒ガイドローラとの中間部より上記円筒ガイドローラを経て上記扁平ガイドローラの
近傍に至るまでの領域を、円筒形状に保持できるようにした構成とする。
【００１６】
更に又、捕集ベルトを、外力の作用しない状態では幅方向に丸まって幅方向両端縁部を
所要寸法重ね合わせた円筒形状を保持でき、且つ幅方向に開くような外力が作用するとき
には、幅方向に扁平となる状態まで弾性変形できるものとした構成とする。
【発明の効果】
【００１７】
本発明のコンベヤ戻り側ベルトの剥落輸送物捕集装置によれば、以下の如き優れた効果
を発揮する。 
（１）無端状にして送り側ベルト上の輸送対象物を輸送して排出した後、戻り側となるよ
うにしてあるベルトコンベヤの戻り側の上流側位置に、無端状にした捕集ベルトを配置し
、該捕集ベルトを戻り側ベルト受けローラで戻り側ベルトの表面に押し付けるようにして
、上記戻り側ベルトの移動によって上記捕集ベルトが追従して移動させられるようにし、
且つ上記戻り側ベルトの表面から剥離されて落下する輸送物を受けた捕集ベルトが剥落輸
送物を保持して輸送対象物の排出位置へ排出できるようにした構成としてあるので、輸送
対象物輸送用ベルトコンベヤのコンベヤベルトの循環移動に従って捕集ベルトを移動させ
るようにすることにより、別途駆動装置を要することなく捕集ベルトを循環移動させるこ
とができ、該循環移動する捕集ベルトにより、上記コンベヤベルトの戻り側ベルトから剥
がれ落ちる剥落輸送物を受けて捕集した後、輸送対象物の排出位置まで移送して排出させ
ることができる。 
（２）上記において、戻り側ベルト受けローラを、軸心方向に所要間隔で複数の突条部を
有する形状とし、且つ捕集ベルトを、上記戻り側ベルト受けローラの各突条部の間の凹状
部に嵌合できる幅寸法として複数用意し、各捕集ベルトを戻り側ベルト受けローラの各突
条部間に掛けて戻り側ベルトの表面に押し付けるようにし、且つ上記戻り側ベルト受けロ
ーラの下流側位置から輸送対象物を排出する位置まで上記各捕集ベルトを円筒形状に保持
して送ることができるようにした構成とすることにより、各捕集ベルトの幅を狭くできる
ため、本発明のコンベヤ戻り側ベルトの剥落輸送物捕集装置をコンパクトなものとするこ
とが可能になる。又、各捕集ベルトに受けられる剥落輸送物を、円筒形状となる各捕集ベ
ルトに包んで輸送対象物の排出位置まで送ることができる。 
（３）戻り側ベルト受けローラよりも下流側の下方となる所要位置に、各捕集ベルトを円
筒形状を保持させた状態で掛けるための円筒ガイドローラを設けると共に、輸送対象物の
排出位置に、各捕集ベルトを扁平状態で掛けるための扁平ガイドローラを設けて、戻り側
ベルト受けローラに掛けられた各捕集ベルトを、上記円筒ガイドローラと扁平ガイドロー
ラへ順次掛け回すことにより、上記各捕集ベルトにおける上記戻り側ベルト受けローラと
円筒ガイドローラとの中間部より上記円筒ガイドローラを経て上記扁平ガイドローラの近
傍に至るまでの領域を円筒形状に保持できるようにした構成とすることにより、循環移動
するときに戻り側ベルト受けローラより円筒ガイドローラへ向かう過程で扁平状態から円
筒形状へ徐々に変形される各捕集ベルト上に、戻り側ベルトから剥がれ落ちる剥落輸送物
を受けた後、該剥落輸送物を、上記円筒ガイドローラを経て扁平ガイドローラの近傍位置
に至るまで円筒形状に保持される各捕集ベルト内に包んだ状態で移送させることができる
。 
（４）捕集ベルトを、外力の作用しない状態では幅方向に丸まって幅方向両端縁部を所要
寸法重ね合わせた円筒形状を保持でき、且つ幅方向に開くような外力が作用するときには
、幅方向に扁平となる状態まで弾性変形できるものとした構成とすることにより、円筒ガ
イドローラに沿わせて進行方向を変更させると共に、該円筒ガイドローラを経た後、扁平
ガイドローラの近傍に至る間、各捕集ベルトを円筒形状に容易に保持させることができる
。このため、剥落輸送物を外部に落下させることなく輸送対象物の排出位置まで確実に移
送することが可能となる。
【発明を実施するための最良の形態】
【００１８】
以下、本発明を実施するための最良の形態を図面を参照して説明する。
【００１９】
図１乃至図４は本発明のコンベヤ戻り側ベルトの剥落輸送物捕集装置の実施の一形態を
示すもので、図６に示したように、テール側よりコンベヤベルト３の送り側ベルト３ａ上
に載置させられた輸送対象物５を輸送して、ヘッドプーリ１の下方に設けたヘッドシュー
ト６へ排出できるようにすると共に、ヘッドプーリ１で下向きに送られて反転させられた
戻り側ベルト３ｂを戻り側ベルト受けローラ８で受け、且つコンベヤベルト３に張力を付
与するようにしてある構成と同様なベルトコンベヤＩにおいて、上記ヘッドプーリ１に近
いベルト循環方向下流側に位置する２つの戻り側ベルト受けローラ８を、軸心方向に所要
間隔で鉢巻き状の突条部２６を有する段付の戻り側ベルト受けローラ８ａとして、該各ロ
ーラ８ａの凹状部と戻り側ベルト３ｂとの間に、後述する無端状の捕集ベルト２３をそれ
ぞれ扁平状態で挟ませるようにする。更に、上記２つの戻り側ベルト受けローラ８ａと戻
り側ベルト３ｂとの間に通した捕集ベルト２３は、上記反ヘッドプーリ１側に位置するベ
ルト受けローラ８ａよりも更に下流側となるテール寄りの下方位置に上下二段に設けた円
筒ガイドローラ２４ａ，２４ｂと、上記ヘッドシュート６内に設けた扁平ガイドローラ２
５に順次掛け回し、且つ該掛け回される上記捕集ベルト２３が、戻り側ベルト受けローラ
８ａと上段円筒ガイドローラ２４ａとの中間部位置から、下段円筒ガイドローラ２４ｂを
経て上記ヘッドシュート６内における扁平ガイドローラ２５の近傍位置までの領域では、
ベルト幅方向に丸まって幅方向両端縁部を所要寸法重ね合わせた円筒形状を保持できるよ
うにし、一方、上記扁平ガイドローラ２５に掛かる位置から上記２つの戻り側ベルト受け
ローラ８ａ上に受けられる位置までの領域では、ベルト幅方向に扁平となる形状を保持で
きるようにする。
【００２０】
詳述すると、上記捕集ベルト２３は、コンベヤベルト３を幅方向に複数に分割した寸法
とほぼ対応する幅寸法のものを複数用意し、該狭幅とした複数の捕集ベルト２３を、上記
コンベヤベルト３と平行となるように横方向に並べて用いるようにする。更に、上記各捕
集ベルト２３は、一例として、外力の作用しない状態では幅方向に丸まって幅方向両端縁
部を所要寸法重ね合わせた円筒形状を保持できるようにしてあり、且つ幅方向両端縁部を
開くような外力が作用するときには、幅方向に扁平となる状態まで弾性変形できるように
してある。
【００２１】
上記各戻り側ベルト受けローラ８ａは、図２に示す如く、外周面における軸心方向所要
間隔位置に、突出量が上記捕集ベルト２３を扁平させたときの厚みよりもやや低くなるよ
うに設定したリング状の突条部２６を、周方向の全周に亘り突設して、隣接する各突条部
２６の間の凹状部に、扁平状態の上記各捕集ベルト２３をそれぞれ嵌合させて配置できる
ようにした構成とし、該戻りベルト受けローラ８ａと、その上側に受けられる戻り側ベル
ト３ｂとの間にて上記各捕集ベルト２３を挟むことで、該各捕集ベルト２３を扁平状態へ
変形させた状態で戻り側ベルト３ｂに上記各捕集ベルト２３を密着させ、該戻り側ベルト
３ｂと突条部２ｂとの接触と相俟って、コンベヤベルト３が循環移動することに伴い、上
記各捕集ベルト２３及び、各戻り側ベルト受けローラ８ａが従動させられて各捕集ベルト
２３が送られるようにしてある。又、この各捕集ベルト２３が戻り側ベルト３ｂにより送
りを与えられることにより上段円筒ガイドローラ２４ａ，下段円筒ガイドローラ２４ｂ、
扁平ガイドローラ２５も回転動力を付与できるようにしてある。更に又、上記各戻り側ベ
ルト受けローラ８ａの上側にて、上記コンベヤベルト３の戻り側ベルト３ｂの表面に上記
各捕集ベルト２３を接触させることにより、該戻り側ベルト３ｂの表面に付着している輸
送対象物５の微粉の輸送物の剥離を促すことができるようにしてある。
【００２２】
上記各円筒ガイドローラ２４ａ，２４ｂは、図３に示す如く、上記各捕集ベルト２３の
配置と対応する軸心方向の所要間隔位置の外周面部に、上記各捕集ベルト２３が円筒形状
となるときの外径に対応した径の略半円形状断面の溝２７を、周方向の全周に亘り設けて
あり、これにより、上記各捕集ベルト２３を、円筒形状を保持させたままガイドして、そ
の進行方向を変えることができるようにしてある。
【００２３】
上記扁平ガイドローラ２５は、図１に示す如く、該扁平ガイドローラ２５に掛け回す各
捕集ベルト２３の外側位置に、扁平させた状態の上記捕集ベルト２３の厚み寸法と対応す
る間隔を隔てて平行配置した押えローラ２８を備えてなる構成としてあり、扁平ガイドロ
ーラ２５に掛け回す各捕集ベルト２３を上記押えローラ２８との間に挟むことで、上記各
捕集ベルト２３を扁平状態とさせることができるようにしてある。
【００２４】
かかる構成としてあることにより、上記各捕集ベルト２３を循環移動させるときに、上
記戻り側ベルト受けローラ８ａより上部円筒ガイドローラ２４ａへ至るまでの間では、ベ
ルト受けローラ８ａと戻り側ベルト３ｂとの間に挟んで各捕集ベルト２３を扁平状態を保
持させていた外力が解放されるようにして、上記各捕集ベルト２３が、扁平に弾性変形さ
れた状態からの復元力により、幅方向両端縁部が上方へ立ち上がる断面形状略半円形のト
ラフ型の状態を経た後、幅方向両端縁部が所要寸法重ね合わされた円筒形状まで変形でき
るようにしてある。なお、上記各捕集ベルト２３の扁平状態から円筒形状への変形をスム
ース且つ確実に行なわせるために、図１に二点鎖線で示す如く、上記戻り側ベルト受けロ
ーラ８ａと上段円筒ガイドローラ２４ａとの間における各捕集ベルト２３の移動経路上に
、図８（イ）（ロ）に示した従来のパイプコンベヤ１７にてベルト２０を幅方向に丸める
ための丸めローラ２１と同様の丸めローラ２１をそれぞれ設けて、該各丸めローラ２１に
て、対応する捕集ベルト２３を幅方向に丸めて円筒形状への変形をガイドさせるようにし
てもよい。
【００２５】
又、上記循環移動する各捕集ベルト２３が、下段円筒ガイドローラ２４ｂより扁平ガイ
ドローラ２５へ至る間では、上記下段円筒ガイドローラ２４ｂに円筒形状を保持したまま
掛け回された各捕集ベルト２３が、ヘッドシュート６内に設けられた扁平ガイドローラ２
５へ接近すると、該扁平ガイドローラ２５と押えローラ２８の間に挟まれて扁平に変形さ
れている先行部分に順次追従することで、上記円筒形状となっていた各捕集ベルト２３は
幅方向に開かれて、下向きのトラフ型の状態を経た後、扁平状態へと変形させることがで
きるようにしてある。なお、上記各捕集ベルト２３の幅方向両端縁部が所要寸法重ね合わ
されて筒型形状が閉じられた状態から幅方向両端縁部が開かれる状態への変形が、確実に
ヘッドシュート６内で行なわれるようにするために、上記循環移動する各捕集ベルト２３
のヘッドシュート６内への進入個所となる開口部３０に、図１に示す如く、図８（イ）（
ロ）に示した従来のパイプコンベヤ１７にてベルト２０の円筒形状を保持させるため保形
ローラ２２と同様の保形ローラ２２、たとえば、図４に概要を示す如く、上記円筒形状と
なる捕集ベルト２３の外周面を、ローラ部材２９にて周方向所要角度間隔の多方向（図で
は６０度間隔の６方向）より押えることができるようにしてある保形ローラ２２を設ける
ようにすることが望ましい。
【００２６】
なお、その他、図６に示したものと同一のものには同一符号が付してある。
【００２７】
上記構成としてある本発明のコンベヤ戻りベルトの剥落輸送物捕集装置を付設したベル
トコンベヤＩを運転し、循環移動するコンベヤベルト３にて輸送対象物５の輸送を行わせ
ると、該循環移動するコンベヤベルト３の戻り側ベルト３ｂと、戻り側ベルト受けローラ
８ａとの間に挟まれている各捕集ベルト２３が、戻り側ベルト３ｂに追従して循環移動さ
せられる。
【００２８】
この際、上記コンベヤベルト３上に輸送対象物５を載置して輸送するときに該コンベヤ
ベルト３の表面に付着し、且つヘッドプーリ１に沿った上記コンベヤベルト３の反転時に
も落下されずに戻り側ベルト３ｂの表面に付着したままとなる輸送物は、該戻り側ベルト
３ｂが戻り側ベルト受けローラ８ａ上を通過するときに、戻り側ベルト３ｂの表面に対し
て上記各捕集ベルト２３が接触させられることで剥離が促され、その後、戻り側ベルト受
けローラ８ａを通過した上記戻り側ベルト３ｂと各捕集ベルト２３が離れるときに、上記
戻り側ベルト３ｂの表面からの剥落輸送物９は、上段円筒ガイドローラ２４ａへ向かうこ
とで扁平状態から上向きのトラフ形状とに変形される各捕集ベルト２３上に受けられる。
【００２９】
次に、上記各捕集ベルト２３上に受けられた剥落輸送物９は、上段円筒ガイドローラ２
４ａへ導かれる過程で幅方向両端縁部が所要寸法重なり合う円筒形状に変形する各捕集ベ
ルト２３の内側に包まれる。
【００３０】
その後、上記各捕集ベルト２３は、上記上段円筒ガイドローラ２４ａより下段円筒ガイ
ドローラ２４ｂを経てヘッドシュート６内に進入して扁平ガイドローラ２５の近傍に達す
るまでの間は、幅方向両端縁部が所要寸法重なり合った円筒形状が保持されるため、上記
各捕集ベルト２３の内側に包まれた上記戻り側ベルト３ｂからの剥落輸送物９は、外部へ
落下されることなくヘッドシュート６内まで移送される。
【００３１】
しかる後、上記円筒形状の各捕集ベルト２３に包まれてヘッドシュート６内まで移送さ
れた剥落輸送物９は、上記ヘッドシュート６内にて扁平ガイドローラ２５に接近する各捕
集ベルト２３が円筒形状より幅方向に開かれて下向きのトラフ形状を経た後、扁平状態へ
と変形されるときに、該各捕集ベルト２３内よりヘッドシュート６内へ落下排出される。
【００３２】
このように、本発明のコンベヤ戻り側ベルトの剥落輸送物捕集装置によれば、戻り側ベ
ルト３ｂからの剥落輸送物９を、コンベヤベルト３の循環移動に伴って循環移動させられ
る各捕集ベルト２３上に捕集してヘッドシュート６へ移送して排出でき、したがって、従
来使用されている剥落輸送物捕集用ベルトコンベヤ１０や、特許文献１に示されたような
アタッチメント１３付きチェーンベルト１４を循環させて戻り側ベルトからの剥落輸送物
の移送手段のように、別途駆動装置１１を必要としないため、コストを低く抑えることが
できる。
【００３３】
更に、捕集ベルト２３は、外力が作用していない状態では幅方向両端縁部を所要寸法重
ね合わせた円筒形状を保持できるようにしたものを使用することにより、円筒ガイドロー
ラ２４ａ，２４ｂに沿わせて比較的小さい曲率で進行方向を変更させても、捕集ベルト２
３の円筒形状を保持させることができ、このため、剥落輸送物９を外部に落下させること
なく捕集ベルト２３内に包んだ状態でヘッドシュート６内まで確実に移送できる。
【００３４】
なお、本発明は上記実施の形態のみに限定されるものではなく、各捕集ベルト２３は、
ヘッドプーリ１のコンベヤベルト循環方向下流側に位置する２つの戻り側ベルト受けロー
ラ８ａと該各ローラ８ａの上側にて受けられる戻り側ベルト３ｂとの間に掛け回すものと
して示したが、掛け回す戻り側ベルト受けローラ８ａは、図５に示す如く、ヘッドプーリ
１の下流側に隣接する１つの戻り側ベルト受けローラ８ａのみとしたり、３つ以上の戻り
側ベルト受けローラ８ａへ掛け回すようにしてもよい。円筒ガイドローラ２４ａ，２４ｂ
は、上下二段に設けるものとして示したが、捕集ベルト２３を、幅方向両端縁部が所要寸
法重なる円筒形状を保持させたまま進行方向をヘッドシュート６側へ変更させることがで
きれば、円筒ガイドローラは１つのみとしたり、３つ以上設けるようにしてもよく、又、
捕集ベルト２３が円筒形状を保持できれば径は自在に設定してよい。捕集ベルト２３とし
ては、外力の作用していない状態で円筒形状を保持できるものを例として示したが、外力
の作用していない状態で扁平な形状となるものを用いるようにしてもよく、この場合には
、円筒ガイドローラ２４ａ，２４ｂの外周側の所要個所に、図３に二点鎖線で示す如く、
該各円筒ガイドローラ２４ａ，２４ｂの各溝２７に外周側より嵌合して、上記各溝２７の
内底部との間にて、各捕集ベルト２３の円筒形状に対応した円筒状の空間部を形成できる
ようにしたカバー３１をそれぞれ装備すると共に、上段円筒ガイドローラ２４ａより、下
段円筒ガイドローラ２４ｂを経てヘッドシュート６に至る捕集ベルト２３の移動経路上に
、図４に示した如き保形ローラ２２を所要間隔で配置して捕集ベルト２３の円筒形状を保
持させるようにすればよい。上記捕集ベルト２３は、循環移動するコンベヤベルト３より
付与される回転動力により戻り側ベルト受けローラ８ａ、上段円筒ガイドローラ２４ａ，
下段円筒ガイドローラ２４ｂ、扁平ガイドローラ２５を順に経て循環移動でき、且つ幅方
向に円筒形状に丸めて剥落輸送物９を内側に保持させることが可能な材質であれば、材質
は任意に選定してよい。ベルトコンベヤＩとしては、石灰石や石炭以外にも、コンベヤベ
ルト３に付着する輸送対象物５の付着物が戻り側ベルト３ｂより剥落することが懸念され
るものであれば、いかなる輸送対象物５の輸送を行うベルトコンベヤＩにも適用できるこ
と、その他本発明の要旨を逸脱しない範囲内において種々変更を加え得ることは勿論であ
る。
【図面の簡単な説明】
【００３５】
【図１】本発明のコンベヤ戻りベルトの剥落輸送物捕集装置の実施の一形態を示す概略切断側面図である。
【図２】図１のＡ−Ａ方向矢視図である。
【図３】図１のＢ−Ｂ方向矢視図である。
【図４】図１の装置に用いる保形ローラの概要を示す図である。
【図５】本発明の実施の他の形態を示す概略切断側面図である。
【図６】一般に使用されているベルトコンベヤの概要を示す図である。
【図７】従来提案されている戻り側ベルトからの剥落輸送物を回収するための装置の概要を示す図である。
【図８】従来のパイプコンベヤの一例を示すもので、（イ）は概略側面図、（ロ）は概略平面図である。
【符号の説明】
【００３６】
Ｉ  ベルトコンベヤ
１  ヘッドプーリ
３  コンベヤベルト
３ａ  送り側ベルト
３ｂ  戻り側ベルト
５  輸送対象物
６  ヘッドシュート
８，８ａ  戻り側ベルト受けローラ
９  剥落輸送物
２３  捕集ベルト
２４ａ  上段円筒ガイドローラ（円筒ガイドローラ）
２４ｂ  下段円筒ガイドローラ（円筒ガイドローラ）
２５  扁平ガイドローラ
【図１】
2005104695.tif 000003
【図２】
2005104695.tif 000004
【図３】
2005104695.tif 000005
【図４】
2005104695.tif 000006
【図５】
2005104695.tif 000007
【図６】
2005104695.tif 000008
【図７】
2005104695.tif 000009
【図８】
2005104695.tif 000010